(57)【要約】【課題】壁面の自由な位置に収納を形成でき、幅広い用途の収納に対応できる壁面収納システムを提供する。また、使用状況が変化しても、容易に対応できる壁面収納システムを提供する。【解決手段】壁面１に複数の箱体２を上下に間隔を設けて取り付け、上側の箱体２の下面と下側の箱体２の上面の間に収納スペースを形成する。また、箱体を左右方向にずらして配置して、下側の箱体の上方に縦長の収納スペースを形成する。また、上側の箱体の下面と下側の箱体の上面との右端部間および左端部間を連結側板で連結する。また、上側の箱体の底板または下側の箱体の天板の表面に、収納物転倒防止板を支持するレール部を設ける。さらに、壁面は、箱体を取付け可能なレールを備える。また、箱体を壁パネルの所定位置に予め取り付ける。【選択図】図１
2005299082.tif 000002
【特許請求の範囲】
【請求項１】
壁面に複数の箱体が上下に間隔を設けて取り付けられており、上側の箱体の下面と下側の箱体の上面の間に収納スペースが設けられていることを特徴とする壁面収納システム。
【請求項２】
前記箱体が、左右方向にずらして配置されて、下側の箱体の上方に縦長の収納スペースが設けられていることを特徴とする請求項１に記載の壁面収納システム。
【請求項３】
前記上側の箱体の下面と前記下側の箱体の上面との右端部間および左端部間が連結側板で連結されていることを特徴とする請求項１に記載の壁面収納システム。
【請求項４】
前記上側の箱体の底板または前記下側の箱体の天板の表面に、収納物転倒防止板を支持するレール部が設けられていることを特徴とする請求項１に記載の壁面収納システム。
【請求項５】
前記壁面は、箱体を取付け可能なレールを備えることを特徴とする請求項１から４のいずれか一項に記載の壁面収納システム。
【請求項６】
前記壁面は、箱体が予め所定位置に取り付けられている壁パネルから構成されることを特徴とする請求項１から５のいずれか一項に記載の壁面収納システム。
【発明の詳細な説明】
【技術分野】
【０００１】
本発明は、住宅等の室内の壁面を利用して収納を設ける壁面収納システムに関する。
【背景技術】
【０００２】
従来から住宅等の室内において、その壁面を利用して収納を設けることが行なわれている。この壁面収納を設ける方法としては、壁面に沿ってキャビネット等の独立した収納家具を並べることが最も多く行なわれ、さらに、家具の上面と建物の天井の間を活用するため、これらの家具の上にいわゆる上置きキャビネットなどを、置くことが行なわれている（例えば、特許文献１参照。）。
【特許文献１】特開平１１−１５５６６４号公報
【発明の開示】
【発明が解決しようとする課題】
【０００３】
しかし、キャビネットによる壁面収納では、横に並べて積み重ねていくため、壁面の自由な位置に設置することができず、また各キャビネットの用途も限定されていた。また、使用状況が変化すると、家具全体を移動したり、新たな家具を用意しなければならなかった。
【０００４】
本発明の課題は、壁面の自由な位置に収納を形成でき、幅広い用途の収納に対応できる壁面収納システムを提供することである。また、使用状況が変化しても、容易に対応できる壁面収納システムを提供することである。
【課題を解決するための手段】
【０００５】
以上の課題を解決するため、請求項１に記載の発明の壁面収納システムは、例えば図１、２に示すように、壁面１に複数の箱体２が上下に間隔を設けて取り付けられており、上側の箱体２の下面と下側の箱体２の上面の間に収納スペース４が設けられていることを特徴とする。
【０００６】
このように、複数の箱体２を壁面１に上下に間隔を設けて取り付けていて、上側の箱体２の下面と下側の箱体２の上面の間に収納スペース４を設けることにより、壁面１の自由な位置に箱体２を配置して、箱体２の内部の収納スペース３のみならず、下側の箱体２の上面にも物を載置して収納することができる。
【０００７】
「箱体」とは、全体形状が直方体で、その内部が空洞になっている箱状のものである。例えば、底面を形成する平板状の底板２ａと、この底板２ａの両端から垂直に立設する側板２ｂ、２ｂと、この両側板２ｂの上端面間に水平に渡された天板２ｃとからなるものである。
【０００８】
請求項２に記載の発明は、例えば図３に示すように、請求項１に記載の壁面収納システムにおいて、前記箱体２が、左右方向にずらして配置されて、下側の箱体２の上方に縦長の収納スペース４１が設けられていることを特徴とする。
【０００９】
このように、前記箱体２を、左右方向にずらして配置して、下側の箱体２の上方に縦長の収納スペース４１を設けることにより、背の高い物でも下側の箱体２の上面に載置して収納することができる。
【００１０】
請求項３に記載の発明は、例えば図５に示すように、請求項１に記載の壁面収納システムにおいて、前記上側の箱体２の下面と前記下側の箱体２の上面との右端部間および左端部間が連結側板５で連結されていることを特徴とする。
【００１１】
このように、連結側板５で、前記上側の箱体２の下面と前記下側の箱体２の上面との右端部間および左端部間を連結することにより、収納棚を形成するのに箱体の底板２ａ、天板２ｃが必要ではなく、部材数が少なくて済み、コストダウンが図れる。
【００１２】
請求項４に記載の発明は、例えば図６に示すように、請求項１に記載の壁面収納システムにおいて、前記上側の箱体２の底板２ａまたは前記下側の箱体２の天板２ｃの表面に、収納物転倒防止板７を支持するレール部６が設けられていることを特徴とする。
【００１３】
このように、収納物転倒防止板７を支持するレール部６を、前記上側の箱体２の底板２ａまたは前記下側の箱体２の天板２ｃの表面に設けることにより、下側の箱体２の上面に載置して収納される物の転倒を防止することができる。
【００１４】
なお、収納物転倒防止板７としては、板状のものであっても、金具状のものであってもよい。
【００１５】
請求項５に記載の発明は、例えば図９に示すように、請求項１から４のいずれか一項に記載の壁面収納システムにおいて、前記壁面１は、箱体２を取付け可能なレールＲ１，Ｒ２を備えることを特徴とする。
【００１６】
このように、壁面１に、箱体２を取付け可能なレールＲ１，Ｒ２を備えることにより、使用状況が変わっても、箱体２の上下方向あるいは左右方向の位置を容易に換えることができる。
【００１７】
請求項６に記載の発明は、例えば図１０に示すように、請求項１から５のいずれか一項に記載の壁面収納システムにおいて、前記壁面１は、箱体２が予め所定位置に取り付けられている壁パネルＰ１，Ｐ２から構成されることを特徴とする。
【００１８】
このように、箱体２を壁パネルＰ１，Ｐ２の所定位置に予め取り付けることにより、現場における箱体２の壁面１への取付けの手間を省くことができる。
【発明の効果】
【００１９】
請求項１に記載の発明によれば、壁面に複数の箱体が上下に間隔を設けて取り付けられており、収納スペースが上側の箱体の下面と下側の箱体の上面の間に設けられているため、壁面の自由な位置に箱体を配置して、箱体の内部のみならず、下側の箱体の上面にも物を載置して収納することができる。
【００２０】
請求項２に記載の発明によれば、前記箱体が左右方向にずらして配置されて、縦長の収納スペースが下側の箱体の上方に設けられているため、背の高い物でも下側の箱体の上面に載置して収納することができる。
【００２１】
請求項３に記載の発明によれば、連結側板で上側の箱体の下面と下側の箱体の上面との右端部間および左端部間が連結されているため、この収納棚を形成するのに側板を必要とせず、部材数が少なくて済み、コストダウンになる。
【００２２】
請求項４に記載の発明によれば、収納物転倒防止板を支持するレール部を、上側の箱体の底板または下側の箱体の天板の表面に設けるため、下側の箱体の上面に載置して収納する物の転倒を防止することができる。
【００２３】
請求項５に記載の発明によれば、壁面が箱体を取付け可能なレールを備えるため、使用状況が変わっても、箱体の上下方向あるいは左右方向の位置を容易に換えることができる。
【００２４】
請求項６に記載の発明によれば、壁面が、箱体が予め所定位置に取り付けられている壁パネルから構成されるため、現場における箱体の壁面への取付けの手間を省くことができる。
【発明を実施するための最良の形態】
【００２５】
以下、図を参照して本発明を実施するための最良の形態を詳細に説明する。
〔第１の実施の形態〕
本実施の形態に係る壁面収納システムは、図１〜８に示すように、壁面１に複数の箱体２が上下に間隔を設けて取り付けられて構成されている。
【００２６】
箱体２は、図１、２に示すように、全体形状が直方体で、その内部が空洞になっている箱状のもので、インテリアを損なわないキュービックフォームである。そして、底面を形成する平板状の底板２ａと、この底板２ａの両端から垂直に立設する側板２ｂ、２ｂと、この両側板２ｂの上端面間に水平に渡された天板２ｃとからなる。必要に応じて、背面側には、底板２ａ、側板２ｂ及び天板２ｃからなる背面側の開口を覆う背板が取り付けられ、前面側には、下開き、上開き、両開き等の扉板（プレーン扉、フロスト扉等）が取り付けられる。また、箱体２の内部を上下左右に仕切る仕切板、箱体２の内部に収容される引出しを備えることができる。
【００２７】
また、箱体２の天板２ａは、水平面使用に対応することができるので、物を取り出しその上で作業することができる。さらに、吊り施工タイプなので情報コンセントの上に取り付けられ、配線も箱体２の下に配置できる。また、室内に圧迫感なく、インテリアを損なわない機能的な収納ができる。
【００２８】
そして、図１、２に示すように、これらの箱体２を、壁面１の自由な位置に配置して、箱体２の内部の収納スペース３のみならず、上側の箱体２の下面と下側の箱体２の上面との間にも収納スペース４が設けられる。箱体２の内部の収納スペース３には物を収めることができ、箱体２の上部の収納スペース４には物を載置することができる。
【００２９】
ここで、これらの箱体２の位置は、自由に設定することができる。例えば、図３に示すように、上下方向に位置する箱体２が、左右方向にずらして配置されると、下側の箱体２の上方に縦長の収納スペース４１が設けることができる。この縦長の収納スペース４１には、背の高い物でも下側の箱体２の上面に載置して収納することができる。
【００３０】
さらに、図４に示すように、上下方向に位置する複数の箱体２を、左右方向の一方の方向にずらして、階段状に配置するとともに、これらの階段状に配置された箱体２の上部を開放すると、室内の上部に設けられたロフトＬ等に登るための階段としても利用することができる。
【００３１】
また、図５に示すように、上下方向に位置する複数の箱体２において、上側の箱体２の下面と下側の箱体２の上面との右端部間および左端部間が連結側板５で連結されると、一つの収納棚を形成することができる。この場合、箱体２を重ねて配置するのに比べ、箱体２の底板２ａおよび天板２ｃを必要とせず、部材数が少なくて済み、コストダウンを図ることができる。
【００３２】
また、図６に示すように、上下方向に位置する複数の箱体２において、上側の箱体２の底板２ａまたは下側の箱体の天板２ｃの表面に、収納物転倒防止板７を支持する、溝状のレール部６を設けている。収納物転倒防止板７は、コの字状に形成されたものであり、コの字状の両端部をレール部６上を移動可能に支持されるものである。この収納物転倒防止板７は、下側の箱体２の上面に載置して収納された物の転倒を防止する。
【００３３】
図７は、以上の箱体を利用して、書斎やユーティリティスペースを構成した組合せ例を示す斜視図である。壁面１の下側において、二つの箱体２を左右に所定の間隔を開けて取り付けられている。作業スペースとしてデスクやカウンターを設けたい場合には、これらの箱体２の上面間に２点鎖線で図示する天板８を架け渡して固定する。この天板８の奥行き寸法は、箱体２の奥行き寸法よりも大きなものである。箱体２の側面の上端部間の手前側と奥側には、必要に応じ補強桟９が取り付けられる。このように、壁面に取り付けられた複数の箱体２に支持されているため、天板８は安定している。また、この天板８の上方において取り付ける複数の箱体２の高さ内寸をＡ４縦のサイズとすることにより、書斎の書棚等として機能的な収納となる。
【００３４】
図８は、さらに、交差する壁面１１、１２において構成した組合せ例を示す斜視図である。左側の壁面１１には、２列、３段の配置で六つの箱体２が取り付けられている。それぞれの段では、左右の箱体２を連結棚板５で連結している。一方、右側の壁面１２には、１列、２段の配置で二つの箱体２が取り付けられている。左側の壁面１１の交差する右側の壁面１２の入り隅部分に取り付けられた箱体２と右側の壁面１２に取り付けられた箱体２の上面に天板８が架け渡されて、ねじ等の締結部材により固定されている。壁面１１の入り隅部分に固定された箱体２にも支持されているため、天板８はさらに安定する。また、この天板８上が作業スペースとなると同時に、作業スペースの側方の壁面１１にも収納スペースが形成され、作業の効率が向上する。
【００３５】
〔第２の実施の形態〕
図９は、本発明の第２の実施の形態である壁面収納システムを示す正面図である。壁面１には、水平および鉛直方向にレールＲ１，Ｒ２が取り付けられている。水平方向のレールＲ１は箱体２の高さ寸法に合わせて、鉛直方向のレールは箱体２の正面幅寸法に合わせて、二本一組で配置されている。そして、壁面１には、２列、３段の配置で六つの箱体２が配置され、レールＲ１、レールＲ２、Ｒ２にそれぞれ二つずつ箱体２を取り付けている。そして、最下段の二つの箱体２の上面間には、天板８が架け渡されて固定されている。
【００３６】
レールＲ１，Ｒ２を介して、壁面１に箱体２を取り付けることによって、使用状況が変わっても、箱体２の上下方向あるいは左右方向の位置を容易に換えることができる。箱体２の高さ位置を換えることによって、天板８の高さ位置も容易に換えることができる。
【００３７】
〔第３の実施の形態〕
図１０は、本発明の第３の実施の形態である壁面収納システムを示す斜視図である。壁面１は、予め工場で製作される２枚の壁パネルＰ１，Ｐ２によって構成されている。これらの壁パネルＰ１，Ｐ２に予めそれぞれ三つの箱体２が取り付けてある。これにより、現場での壁面への箱体２の取付け作業の手間を省くことができる。
【００３８】
また、それぞれの壁パネルＰ１，Ｐ２に、上下方向の位置を合わせて箱体２を取り付けておけば、現場にて、それらの箱体２の向かい合う側面間の上端部および下端部間に連結棚板５を連結することにより、収納棚の間口を広げることができる。
【００３９】
なお、本発明は、以上の実施の形態に限定されるものではなく、本発明の箱体２は、居室、リビング、寝室、子供室はもちろん、洗面室、キッチン、ユーティリティルーム、玄関、トイレなど住宅内のあらゆる場所に設置することができる。その他、具体的な細部構造等についても適宜に変更可能であることは勿論である。
【図面の簡単な説明】
【００４０】
【図１】第１の実施の形態のおける、壁面１収納システムを示す斜視図である。
【図２】同、壁面１収納システムを示す正面図である。
【図３】同、箱体をずらして配置した場合の実施例を示す正面図である。
【図４】同、箱体を階段状に配置した場合の実施例を示す正面図である。
【図５】同、箱体を連結側板で連結した場合の実施例を示す斜視図である。
【図６】同、箱体に収納物転倒防止板を設けた場合の実施例を示す斜視図である。
【図７】書斎等を構成した組合せ例を示す斜視図である。
【図８】書斎等を構成した別の組合せ例を示す斜視図である。
【図９】第２の実施の形態の壁面１収納システムを示す正面図である。
【図１０】第３の実施の形態の壁面１収納システムを示す斜視図である。
【符号の説明】
【００４１】
１、１１，１２  壁面
２  箱体
３、４、４１  収納スペース
５  連結側板
６  レール部
７  収納物転倒防止板
８  天板
９  補強桟
１０  連結棚板
Ｒ１、Ｒ２  レール
Ｐ１、Ｐ２  壁パネル
【図１】
2005299082.tif 000003
【図２】
2005299082.tif 000004
【図３】
2005299082.tif 000005
【図４】
2005299082.tif 000006
【図５】
2005299082.tif 000007
【図６】
2005299082.tif 000008
【図７】
2005299082.tif 000009
【図８】
2005299082.tif 000010
【図９】
2005299082.tif 000011
【図１０】
2005299082.tif 000012